(57)【要約】  【課題】  光ディスク装置において、薄型化が可能な技術の提供。  【解決手段】  光ピックアップをディスクの略半径方向に移動させる送りモータを、光ピックアップやディスクモータとともに、支点周りに回動変位するユニットメカデッキ部材等の基台上に設け、該基台上においてさらに、該送りモータを、チャッキング状態の光ディスクの投影領域内で該光ディスクの外周側位置や上記支点寄りの位置に配する。【選択図】  図３
2006236405.tif 000002
【特許請求の範囲】
【請求項１】
光ピックアップを光ディスクの略半径方向に移動させ情報の記録または再生を行う光ディスク装置であって、
表面に送りねじが設けられ、回転により上記光ピックアップ側に上記略半径方向の移動力を与えるリードスクリュー部材と、
チャッキングされた上記光ディスクを回転駆動するディスクモータと、
上記チャッキングされた光ディスクの投影領域内にあって該光ディスクの半径方向の中点位置よりも外周側位置に配され、上記リードスクリュー部材を回転駆動する送りモータと、
装置基盤としての第１の基台と、
上記リードスクリュー部材、上記送りモータ、上記光ピックアップ及び上記ディスクモータが搭載され、上記第１の基台に対し、上記チャッキングされた光ディスクの半径方向の中点位置よりも外周側の位置に配された支点の周りに回動する第２の基台と、
上記第１の基台側に設けられ、上記チャッキング時、上記光ディスクが装置内の所定位置に挿入された状態で、上記第２の基台に回動力を与え該第２の基台を上記支点の周りに昇降変位させる昇降機構と、
を備えたことを特徴とする光ディスク装置。
【請求項２】
光ピックアップを光ディスクの略半径方向に移動させ情報の記録または再生を行う光ディスク装置であって、
表面に送りねじが設けられ、回転により上記光ピックアップ側に上記略半径方向の移動力を与えるリードスクリュー部材と、
上記リードスクリュー部材を回転駆動する送りモータと、
チャッキングされた上記光ディスクを回転駆動するディスクモータと、
装置基盤としての第１の基台と、
上記リードスクリュー部材、上記送りモータ、上記光ピックアップ及び上記ディスクモータが搭載され、上記第１の基台に対し、上記チャッキングされた光ディスクの半径方向の中点位置よりも外周側位置に配された支点の周りに回動する構成を有し、上記光ディスクの投影領域内にあって該光ディスクの半径方向の中点位置よりも上記支点寄りの位置に上記送りモータが配された第２の基台と、
上記第１の基台側に設けられ、上記チャッキング時、上記光ディスクが装置内の所定位置に挿入された状態で、上記第２の基台に回動力を与え該第２の基台を上記支点の周りに昇降変位させる昇降機構と、
を備えたことを特徴とする光ディスク装置。
【請求項３】
光ディスクをディスクモータの回転軸に同心状にチャッキングして回転させ、光ピックアップを該光ディスクの略半径方向に移動させて情報の記録または再生を行う光ディスク装置であって、
上記ディスクモータの回転部上に配され、上記光ディスクのチャッキング時、該光ディスクの中心孔内に挿入され該光ディスクを半径方向に支持する凸状のクランパ部と、
上記ディスクモータの回転部上にあって上記クランパ部と同心状に配され、該クランパ部が上記光ディスクの中心孔内に挿入された状態で該光ディスクの平面部を支持するディスク平面支持部と、
上記クランパ部の上方に配され、該クランパ部との対向位置に貫通孔を有し、装置の表面側を覆うトップカバー部材と、
装置の裏面側を覆うボトムカバー部材と、
表面に送りねじが設けられ、回転により上記光ピックアップ側に上記略半径方向の移動力を与えるリードスクリュー部材と、
上記チャッキングされた光ディスクの投影領域内にあって該光ディスクの半径方向の中点位置よりも外周側の位置に配され、上記リードスクリュー部材を回転駆動する送りモータと、
装置基盤としての第１の基台と、
上記ボトムカバー部材と結合され、上記リードスクリュー部材、上記送りモータ、上記光ピックアップ及び上記ディスクモータが搭載され、上記第１の基台に対し、上記チャッキングされた光ディスクの半径方向の中点位置よりも外周側の位置に配された支点の周りに回動する第２の基台と、
上記第１の基台側に設けられ、上記チャッキング時、上記光ディスクが装置内の所定位置に挿入された状態で、上記第２の基台に回動力を与え該第２の基台を上記支点の周りに昇降変位させる昇降機構と、
を備え、上記チャッキング時、上記昇降機構が上記第２の基台を上昇させ、上記光ディスクを上記トップカバー部材の対向面に当接させた状態において、上記クランパ部の先端面が上記トップカバー部材の貫通孔から突出し、ディスク投影領域内における平面部の高さ位置以上に高くなる構成としたことを特徴とする光ディスク装置。
【請求項４】
上記送りモータは、上記第２の基台の平面に対し回転軸を傾斜させて取付けられている請求項１、２または３に記載の光ディスク装置。
【請求項５】
上記トップカバー部材の外面と上記ボトムカバー部材の外面との間の距離は、９．５×１０−３ｍ以下である請求項３に記載の光ディスク装置。
【発明の詳細な説明】
【技術分野】
【０００１】
本発明は、光ディスクに対し情報を記録または再生する光ディスク装置に係り、特にその薄型化技術に関する。
【背景技術】
【０００２】
本発明に関連した従来技術としては、例えば、特開２００２−３５２４９８号公報（特許文献１）、特開２００２−７４８００号公報（特許文献２）、特開平１１−２９７００７号公報（特許文献３）及び特開２００３−３０８６２号公報（特許文献４）及びに記載されたものがある。特開２００２−３５２４９８号公報には、ピックアップ（光ピックアップ）を移動させる駆動モータ（送りモータ）を含む駆動手段を、チャッキングされたディスク（光ディスク）の半径の略中点位置に配した構成が記載され、特開２００２−７４８００号公報及び特開平１１−２９７００７号公報には、光ピックアップを移動させる送りモータを、光ディスクの外周部よりも外側に配した構成が記載され、特開２００３−３０８６２号公報には、光ピックアップを移動させるステッピングモータ（送りモータ）を、光ディスクの半径の中点位置よりも内周側に配した構成が記載されている。
【０００３】
【特許文献１】特開２００２−３５２４９８号公報
【特許文献２】特開２００２−７４８００号公報
【特許文献３】特開平１１−２９７００７号公報
【特許文献４】特開２００３−３０８６２号公報
【発明の開示】
【発明が解決しようとする課題】
【０００４】
例えば、上記特開２００２−３５２４９８号公報や特開２００３−３０８６２号公報に記載の技術では、ディスクのチャッキング時、駆動手段やステッピングモータが配された位置でのトラバースの移動変位量が大きくなるため、これに対応した装置の高さ寸法が必要となり、装置の小型化特に薄型化を妨げるおそれがある。また、特開２００２−７４８００号公報や特開平１１−２９７００７号公報に記載の技術では、ディスクの投影領域外に送りモータが配される構成のため、装置の平面寸法が増大し易く、装置の小型化、特に薄型化を図りにくいことが懸念される。
【０００５】
本発明の課題点は、上記従来技術の状況に鑑み、例えばスロットインタイプ（記録媒体としてのディスク単体を、トレイやケースなどを用いずに直接、装置内に挿入するタイプ）特にスリムスロットタイプ等の光ディスク装置において、装置の平面寸法の増大を抑え、装置の小型化、特に一層の薄型化を図れるようにすることである。
本発明の目的は、かかる課題点を解決し、例えば装置厚さが９．５×１０−３ｍ以下の光ディスク装置を提供することにある。
【課題を解決するための手段】
【０００６】
上記課題点を解決するために、本発明では、光ディスク装置において、光ピックアップ移動用のリードスクリュー部材を回転駆動するための送りモータを、光ピックアップやディスクモータとともに、支点周りに回動変位する基台上に設け、該基台上においてさらに、チャッキング状態にある光ディスクの投影領域内すなわち光ディスクをディスク平面に直角な方向に正投影した際にその影となる領域内にあって該光ディスクの半径方向の中点位置よりも外周側の位置に配する。つまり、送りモータ本体部の回動半径方向長さの約１／２の位置の点が、上記光ディスクの半径方向の中点位置よりも外周側の位置にあるようにする。また、基台を、チャッキング状態にある光ディスクの半径方向の中点位置よりも外周側の位置に配した支点の周りに回動する構成とし、リードスクリュー部材を回転駆動するための送りモータを、上記光ディスクの投影領域内にあって該光ディスクの半径方向の中点位置よりも上記支点寄りの位置に配する。つまり、送りモータ本体部の回動半径方向長さの約１／２の位置の点が、上記光ディスクの半径方向の中点位置よりも上記支点寄りの位置にあるようにする。また、光ディスクのチャッキング時、該光ディスクがトップカバー部材の対向面に当接した状態において、光ディスクの中心孔内に挿入され該光ディスクを半径方向に支持する凸状のクランパ部の先端面が、トップカバー部材の貫通孔から突出し、ディスク投影領域内における該トップカバー部材の平面部の高さ位置以上に高くなる構成とする。
【発明の効果】
【０００７】
本発明によれば、スロットインタイプなどの光ディスク装置において、装置の小型化、特に一層の薄型化が可能となる。
【発明を実施するための最良の形態】
【０００８】
以下、本発明を実施するための最良の形態につき、図面を用いて説明する。
図１〜図５は、本発明の一実施形態の説明図である。図１は、本発明の一実施形態としてのスロットインタイプの光ディスク装置の構成例図であって、トップカバー部材を取外した状態を示す斜視図、図２は、図１の光ディスク装置の内部構成の平面図、図３は、図１の光ディスク装置におけるユニットメカデッキ部材上の構成を示す平面図、図４は、図１の光ディスク装置におけるディスクチャッキング時の説明図、図５は、図１の光ディスク装置におけるディスクチャッキング時の送りモータの変位量の説明図である。
【０００９】
図１において、１は光ディスク装置、２は、光ディスク（図示なし）を回転させるディスクモータ、３は、ディスクモータ２の回転部上に配され、凸状の構成を有し、チャッキング時、該凸状部分が光ディスクの中心孔内に挿入されて該光ディスクをその半径方向に支持しチャッキングするクランパ部、２ａは、上記ディスクモータ２の回転部上にあって上記クランパ部３と同心状に配され、該クランパ部３が光ディスクの中心孔内に挿入された状態で該光ディスクの中心孔周囲の平面部（記録または再生される側の平面部）を支持するディスク平面支持部、４は、レーザーを光ディスクの記録面に照射して情報の記録や再生を行う光ピックアップ、４ａは対物レンズ、５、６は、装置の内部において、ディスクモータ２、クランパ部３、ディスク平面支持部２ａなどの周囲の広い領域を覆い、該領域において光ディスクの平面部と装置部品・機構との間を空間的に遮断する内部カバー部材、７は、光ディスク装置１の前面パネル、８は、上記クランパ部３の上方に配され、光ディスク装置１の表面側にあって装置を覆うトップカバー部材、８ａは、トップカバー部材８の外側の平面部（外側平面部）、８ｂは、トップカバー部材８上において上記クランパ部３との対向位置に設けられた貫通孔、８ｃは、貫通孔８ｂの周囲に設けられた凹部、１０は、光ディスク装置１の裏面側にあって装置を覆うボトムカバー部材、１１は、装置基盤を構成しボトムカバー部材１０と結合される第１の基台としてのベース部材、１２は、上記ディスクモータ２、クランパ部３、ディスク平面支持部２ａ、光ピックアップ４などが取付けられた第２の基台としてのユニットメカデッキ部材である。対物レンズ４ａが搭載された光ピックアップ４は、送りモータ（図示なし）で回転駆動されるリードスクリュー部材（図示なし）により、チャッキングされた状態の光ディスクに対し略半径方向に移動される。
【００１０】
また、図２において、７１は、表面に送りねじが設けられ、回転により上記光ピックアップ４側に対し光ディスクの略半径方向の移動力を与えるリードスクリュー部材、６０は、そのモータ回転軸をリードスクリュー部材７１に直結され、該リードスクリュー部材７１を回転駆動するステッピングモータ等の送りモータ、７２、７３は、光ピックアップ４の両側で該光ピックアップ４の略ディスク半径方向の移動を案内するガイド部材、４ｂは、先端部が上記リードスクリュー部材７１の送りねじに係合され、上記リードスクリュー部材７１の回転力を直線的移動力として光ピックアップ４側に伝えるラック部、３１、３２、３３は、光ディスクが前面パネル７側から装置内に挿入されたとき、及び、光ディスクが装置内から前面パネル７側に排出されるときに、該挿入・排出動作のための駆動力の伝達を行うレバー、３１ａはレバー３１の回動動作の支点部材、４１、４２、４３は、上記挿入された光ディスクの外周に当接して該光ディスクのセンタリングを行うローラ、８０はモータ、５０は、モータ８０への駆動入力の供給をオン・オフするスイッチ、２１は、レバー３２にモータ８０の回転駆動力を伝達する伝達機構、２２は、第１の基台としての上記ベース部材１１側に設けられ、光ディスクのチャッキング時、該光ディスクが装置内の所定位置に挿入された状態で上記ユニットメカデッキ部材１２に回動力を与え、該ユニットメカデッキ部材１２を昇降変位させる昇降機構、２５、２６は、上記ユニットメカデッキ部材１２の昇降変位の支点である。他の符号は、上記図１の場合と同様である。上記ユニットメカデッキ部材１２は、支点２５、２６の周りに回動することで昇降変位する。上記送りモータ６０、リードスクリュー部材７１、ガイド部材７２、７３なども、ディスクモータ２、クランパ部３とともにユニットメカデッキ部材１２上に設けられているため、該ユニットメカデッキ部材１２の上記昇降動作により、該ユニットメカデッキ部材１２とともに昇降変位（回動変位）する。伝達機構２１はギヤ列を備えて構成される。また、ローラ４２は、レバー３１上に設けられている。
【００１１】
上記において、直結駆動型の送りモータ６０は、ユニットメカデッキ部材１２上において、チャッキング状態にある光ディスクの投影領域内（光ディスクをディスク平面に直角な方向に正投影した際にその影となる領域内。以下、投影領域内またはディスク投影領域内という）にあって該光ディスクの半径方向の中点位置（光ディスクの半径の中間位置または光ディスクの内径と外径との間の中間点位置）よりも外周側の位置に配される。つまり、送りモータ６０本体部の回動半径方向長さの約１／２の位置の点が、上記光ディスクの半径方向の中点位置よりも外周側の位置にあるようにする。また、支点２５、２６は、チャッキング状態にある光ディスクの半径方向の中点位置（光ディスクの半径の中間位置または光ディスクの内径と外径との間の中間点位置）よりもディスク外周側の位置に配され、送りモータ６０を、上記光ディスクの上記投影領域内にあって該光ディスクの半径方向の中点位置（光ディスクの半径の中間位置または光ディスクの内径と外径との間の中間点位置）よりも上記支点２５、２６寄りの位置に配する構成、つまり、送りモータ６０本体部の回動半径方向長さの約１／２の位置の点が、上記光ディスクの半径方向の中点位置よりも上記支点２５、２６寄りの位置にあるようにした構成にすると、後述のように、小型化、特に薄型化に対しより有効である。
【００１２】
上記図１及び図２の構成において、光ディスクが装置内に挿入されてチャッキングされるとき、上記昇降機構２２が、第２の基台としての上記ユニットメカデッキ部材１２を、支点２５、２６の周りに回動させて所定位置まで上昇させ、光ディスクを上記トップカバー部材８の凹部８ｃのディスク側の対向面に当接させた状態において、上記クランパ部３の先端面が該トップカバー部材８の貫通孔８ｂから突出し、トップカバー部材８の外側平面部８ａ内にあって少なくとも光ディスクの投影領域内における平面部の高さ位置以上に高くなるようにされる。ユニットメカデッキ部材１２が上記上昇変位されるとき、送りモータ６０もその位置（光ディスクの外周側の位置または支点２５、２６寄りの位置）で該ユニットメカデッキ部材１２といっしょに上昇変位する。
【００１３】
上記光ディスク装置１において、光ディスクが前面パネル７側の挿入・排出口（図示なし）から装置内に挿入されると、該光ディスクの外周にローラ４１、４２、４３が、ローラ４１、４２、４３の順で当接し、レバー３１、３２、３３を変位させながら、該光ディスクのセンタリングを行い、該光ディスクをディスクモータ４の回転軸と略同心となる位置に位置決めする。このとき、ローラ４２は、光ディスクの外周に押されてレバー３１を支点部材３１ａ上の支点周りに矢印Ｅの方向に回動させる。レバー３１は、該矢印Ｅ方向の回動変位量が所定変位量に達するとスイッチ５０をオン状態にする。スイッチ５０がオン状態となることで、モータ８０に対し駆動回路（図示なし）から所定の駆動入力が供給され、該モータ８０が回転する。該モータ８０が回転すると、その回転駆動力が、伝達機構２１によりレバー３２に伝達される。レバー３２は、該伝達された力を昇降機構２２に伝える。昇降機構２２は、該伝達された力で作動し、ユニットメカデッキ部材１２の係合部を押すなどして該ユニットメカデッキ部材１２に対し、支点２５、２６周りの回動力を与え、該ユニットメカデッキ部材１２をトップカバー部材９側に回動変位（上昇変位）させる。該ユニットメカデッキ部材１２が上昇変位すると、ディスクモータ２、クランパ部３、ディスク平面支持部２ａもいっしょに上昇変位し、凸状の該クランパ部３が光ディスクの中心孔に挿入され、ディスク平面支持部２ａが、例えば光ディスクの中心孔周囲の平面部に一部当接した状態となる。該状態でさらに、ユニットメカデッキ部材１２が上昇変位すると、光ディスクが、トップカバー部材８の凹部８ｃのディスク側の対向面に当接し、該対向面からの反力により、クランパ部３がほぼ完全に光ディスクの中心孔内に入り込み、ディスク平面支持部２ａも例えばその全周の部分で光ディスクの中心孔周囲の平面部に当接した状態となる。これにより、光ディスクは該クランパ部３と該ディスク平面支持部２ａによりチャッキングされた状態となる。該チャッキング状態において、クランパ部３の先端面は該トップカバー部材８の貫通孔８ｂから突出し、トップカバー部材８の外側平面部８ａのディスク投影領域内における平面部の高さ位置以上に高い位置となる。ユニットメカデッキ部材１２が上記上昇変位されるとき、送りモータ６０も該ユニットメカデッキ部材１２といっしょに上昇変位する。上記チャッキングのとき、送りモータ６０の駆動入力はオフ状態とされる。
【００１４】
上記チャッキングが終了すると、上記昇降機構２２は、モータ８０の駆動入力に基づき、ユニットメカデッキ部材１２を、支点２５、２６周りに、上記上昇変位の場合とは逆の方向に回動させて下降変位させ、光ディスクをトップカバー部材８の凹部８ｃのディスク側の対向面から離間させ、所定の位置まで下降変位させる。光ディスクが該所定の位置すなわち情報の記録または再生のために回転可能な位置にまで下降変位した状態では、クランパ部３の先端面は、例えば、ディスク投影領域内における該トップカバー部材８の外側平面部の高さ位置よりも低くなるようにされる。ユニットメカデッキ部材１２が上記下降変位されるとき、送りモータ６０も該ユニットメカデッキ部材１２といっしょに下降変位する。また、光ディスクが上記所定の位置に下降変位したとき、モータ８０の駆動入力はオフ状態とされ、ディスクモータ２及び送りモータ６０はそれぞれ、回転可能状態となり、ディスクモータ２による光ディスクの回転駆動と、送りモータ６０による光ピックアップ４の移動が可能となる。送りモータ６０は、例えば駆動入力として駆動パルスが入力されると、所定の回転角または回転数で回転し、モータ回転軸に直結されたリードスクリュー部材７１を回転させる。リードスクリュー部材７１が回転すると、その表面の送りねじに係合したラック部４ｂが、該リードスクリュー部材７１の回転力を直線的移動力として光ピックアップ４側に伝え、該光ピックアップ４が、ガイド部材７２、７３に案内されて光ディスクの略半径方向に所定速度で所定距離移動される。光ピックアップ４は、該移動動作をしながら、対物レンズ４ｂからレーザーを光ディスクの記録面に照射して、情報の記録または再生を行う。
以下の説明中で用いる光ディスク装置１の構成要素には、上記図１、図２の場合と同じ符号を付して用いる。
【００１５】
図３は、図１の光ディスク装置におけるユニットメカデッキ部材１２上の構成を示す平面図である。
図３において、１００は、クランパ部３及びディスク平面支持部２ａで装置内にチャッキングされた光ディスク、Ｐ−Ｐ'は、２つの支点２５、２６を通る直線（以下、支点線という）である。他の符号は、上記図１、図２の場合と同様である。ユニットメカデッキ部材１２は、その端部Ａを作用点として昇降機構２２により昇降変位するとき、支点２５、２６周りすなわち支点線Ｐ−Ｐ'周りにＺ軸方向の面内で回動する。該回動による変位量（回動変位量）は、支点２５、２６から遠い位置すなわち支点線Ｐ−Ｐ'から遠い位置ほど大きい。Ｙ'は、ＸＹ平面内で支点線Ｐ−Ｐ'に直角な座標軸、Ｘ'は、ＸＹ平面内でＹ'に垂直な座標軸である。本発明では、装置の小型化、特に薄型化のために、送りモータ６０の回動変位量を少なく抑える。このために、送りモータ６０を、チャッキング状態にある光ディスク１００の投影領域内にあって該光ディスク１００の半径方向の中点位置（光ディスク１００の半径の中間位置または光ディスク１００の内径と外径との間の中間点位置）よりも外周側の位置に配する。つまり、送りモータ６０本体部の回動半径方向長さの約１／２の位置の点が、上記光ディスクの半径方向の中点位置よりも外周側の位置にあるようにする。また、支点２５、２６を、チャッキング状態にある光ディスク１００の半径方向の中点位置（光ディスク１００の半径の中間位置または光ディスク１００の内径と外径との間の中間点位置）よりも外周側の位置に配し、送りモータ６０を、上記光ディスク１００の上記投影領域内にあって該光ディスク１００の半径方向の中点位置（光ディスク１００の半径の中間位置または光ディスク１００の内径と外径との間の中間点位置）よりも上記支点２５、２６寄りの位置すなわち上記支点線Ｐ−Ｐ'寄りの位置に配する構成、つまり、送りモータ６０本体部の回動半径方向長さの約１／２の位置の点が、上記光ディスクの半径方向の中点位置よりも上記支点２５、２６寄りの位置にあるようにした構成にすると、小型化、特に薄型化に対しより有効である。図３の構成では、送りモータ６０は、一部が支点線Ｐ−Ｐ'にかかる位置に配してある。
【００１６】
上記のように、送りモータ６０を、光ディスク１００の投影領域内で、該光ディスク１００の外周側の位置や支点２５、２６寄りの位置に配した構成は、光ディスク装置の平面積の増大を抑え、トップカバー部材８の高さ寸法を減らし、光ディスク装置１の小型化、特に薄型化を可能にし、例えば、光ディスク装置１の全体の厚さ寸法を９．５×１０−３ｍ以下とすることを可能にする。
【００１７】
図４は、図１の光ディスク装置１において、光ディスク１００がチャッキングされたときの状態を示す図である。
図４において、１００は光ディスク、８ｃ１は、トップカバー部材８の凹部８ｃの光ディスク１００側と反対側の面（以下、トップカバー部材８の凹部８ｃの外側平面という）、８ｃ２は、トップカバー部材８の凹部８ｃの光ディスク１００側の対向面（以下、トップカバー部材８の凹部８ｃの内側平面という）、８５は、前面パネル７側に設けられた光ディスク１００の挿入・排出口、矢印Ｆ１は、ユニットメカデッキ部材１２が上昇変位するときの回動方向、矢印Ｆ２は、ユニットメカデッキ部材１２が下降変位するときの回動方向、矢印Ｆ１'は、送りモータ６０がユニットメカデッキ部材１２とともに上昇変位するときの回動方向、矢印Ｆ２'は、送りモータ６０がユニットメカデッキ部材１２とともに下降変位するときの回動方向、ｈ１は、支点２５、２６側のトップカバー部材８の外側平面部８ａ内のディスク投影領域内における平面部の高さ位置とクランパ部３の先端面との間の距離（＝クランパ部３の先端面の外側平面部８ａからの突出量）、ｈ２は、支点２５、２６側とは反対側すなわち昇降機構２２側のトップカバー部材８の外側平面部８ａ内のディスク投影領域内における平面部の高さ位置とクランパ部３の先端面との間の距離（＝クランパ部３の先端面の外側平面部８ａからの突出量）である（ｈ２＞ｈ１とする）。
【００１８】
ユニットメカデッキ部材１２が、昇降機構２２により上昇変位され、光ディスク１００がトップカバー部材８の凹部８ｃの内側平面８ｃ２に当接し、該内側平面８ｃ２からの反力により、クランパ部３がほぼ完全に該光ディスク１００の中心孔内に入り込み、ディスクモータ２の回転部上のディスク平面支持部２ａ（図３では図示なし）も例えばその全周の部分で光ディスク１００の中心孔周囲の平面部に当接した状態となって該光ディスク１００がチャッキングされるとき、クランパ部３の先端面は、トップカバー部材８の貫通孔８ｂから、外側平面８ｃ１の高さ位置を越えて突出し、さらに、該トップカバー部材８の外側平面部８ａのディスク投影領域内における平面部の高さ位置よりもｈ１〜ｈ２高い位置となる。光ディスク１００がチャッキングされた後は、ユニットメカデッキ部材１２が矢印Ｆ２の方向に下降変位してクランパ部３も下降変位する。該下降変位後の所定の高さ位置で光ディスク１００は、記録や再生のために回転可能な状態となる。このように、チャッキング時にクランパ部３の先端面をトップカバー部材８の外側平面部８ａの高さ位置以上に突出させる構成は、上記のように送りモータ６０を、光ディスク１００の外周側の位置や支点２５、２６寄りの位置に配した構成と併せ、該トップカバー部材８の外側平面部８ａの高さ位置を、クランパ部３の先端面の高さ位置に対して低くすることを可能にし、トップカバー部材８の高さ寸法を減らす。これによって、光ディスク装置１の小型化、特に薄型化を可能にする。上記図１〜図４で説明した構成を有する本実施形態の光ディスク装置１において、ｈ１、ｈ２をそれぞれ、例えば０．５×１０−３ｍ以下としたときには、ディスクチャッキング後のクランパ部３の下降変位により、該クランパ部３の先端面を、トップカバー部材８の外側平面部８ａの高さ位置よりも低い位置とすることができ、光ディスク装置１の全体の厚さ寸法を９．５×１０−３ｍ以下とすることも可能となる。
【００１９】
図５は、図１の光ディスク装置におけるディスクチャッキング時の送りモータ６０の回動変位量の説明図である。本実施形態では、図５に示すように、送りモータ６０は、ユニットメカデッキ部材１２の平面に対し、モータ回転軸及び外部平面が略平行となる構成とされている。
図５において、６０ａ、６０ａ'はそれぞれ、支点２５、２６または支点線Ｐ−Ｐ'から距離ｄ１（支点２５、２６または支点線Ｐ−Ｐ'から、送りモータ６０本体部の回動半径方向長さの約１／２の位置の点Ｋ１までの距離）の位置に配された場合の送りモータ６０の体積範囲（送りモータ６０が占めるスペース範囲）であり、うち６０ａは、ユニットメカデッキ部材１２がディスクチャッキングのための回動変位（上昇変位）をしない場合の送りモータ６０の体積範囲、６０ａ'は、チャッキングのためにユニットメカデッキ部材１２がトップカバー部材８側に角θだけ回動変位（上昇変位）した場合にの送りモータ６０の体積範囲である。また、６０ｂ、６０ｂ'はそれぞれ、支点２５、２６または支点線Ｐ−Ｐ'から距離ｄ２（支点２５、２６または支点線Ｐ−Ｐ'から、送りモータ６０本体部の回動半径方向長さの約１／２の位置の点Ｋ２までの距離）の位置に配された場合の送りモータ６０の体積範囲であって、うち６０ｂは、ユニットメカデッキ部材１２がディスクチャッキングのための回動変位（上昇変位）をしない場合の送りモータ６０の体積範囲、６０ｂ'は、チャッキングのためにユニットメカデッキ部材１２がトップカバー部材８側に角θだけ回動変位（上昇変位）した場合の送りモータ６０の体積範囲である。さらに、８ａは、トップカバー部材８の外側平面部、８ｄは、トップカバー部材８の内側の平面部（内側平面部）、１０ａは、ボトムカバー部材１０の外側の平面部（外側平面部）、１０ｄは、ボトムカバー部材１０の外側の平面部（外側平面部）、ｚａは、ユニットメカデッキ部材１２がトップカバー部材８側に角θだけ回動変位したときの送りモータ６０の回動変位量すなわち体積範囲６０ａ、６０ａ'間の変位量の差、ｚｂは、同じくユニットメカデッキ部材１２がトップカバー部材８側に角θだけ回動変位したときの送りモータ６０の回動変位量すなわち体積範囲６０ｂ、６０ｂ'間の変位量の差、Ｆ１は、ユニットメカデッキ部材１２がディスクチャッキングのために回動変位（上昇変位）する方向である。
【００２０】
また、イは、ユニットメカデッキ部材１２の、支点２５、２６または支点線Ｐ−Ｐ'側の端部位置、ロは、支点２５、２６または支点線Ｐ−Ｐ'の位置、ハは、光ディスク１００の外径位置（外周部位置）、ニは、ディスクモータ２の回転軸の中心位置、ホは、ユニットメカデッキ部材１２が昇降機構２２から回動力を受ける作用点側の該ユニットメカデッキ部材１２の端部位置、ヘは、光ディスク１００の内径位置（内周部位置）、トは、上記ハ、ニ間の中点位置、チは、上記ハ、ヘ間の中点位置、Ａ１は、上記ハ、チ間の領域範囲であって、チャッキング状態にある光ディスク１００の投影領域内にあって該光ディスク１００の半径方向の中点位置すなわち光ディスク１００の内径と外径との間の中間点位置チよりも外周側にある領域の範囲、Ａ２は、上記ハ、ト間の領域範囲であって、チャッキング状態にある光ディスク１００の投影領域内にあって該光ディスク１００の半径方向の中点位置すなわち光ディスク１００の半径の中間位置トよりも外周側にある領域の範囲である。上記距離ｄ１の位置の点Ｋ１は、上記範囲Ａ１以内またはＡ２以内にあり、上記距離ｄ２の位置の点Ｋ２は、上記範囲Ａ１の外側またはＡ２の外側にある。
【００２１】
本発明では、送りモータ６０を、上記のように、距離ｄ１の位置に配し、上記範囲Ａ１以内またはＡ２以内にあるようにすることで、ユニットメカデッキ部材１２が光ディスク１００のチャッキングのためにトップカバー部材８側に回動変位（上昇変位）した場合にも、該送りモータ６０の回動変位量ｚａが少なくなるようにする。これによって、トップカバー部材８の高さ位置を低くし、装置の小型化、特に薄型化を可能にする。これに対し、送りモータ６０を、距離ｄ２の位置に配し、上記範囲Ａ１の外側またはＡ２の外側にあるようにした場合には、ユニットメカデッキ部材１２がディスクチャッキングのためにトップカバー部材８側に回動変位（上昇変位）したとき、該送りモータ６０の回動変位量がｚｂと大きくなって、ｚａの約ｄ２／ｄ１倍となり、トップカバー部材８の必要高さ位置を引上げ、装置の小型化、特に薄型化を阻む。
【００２２】
上記本発明の実施形態によれば、送りモータ６０を、光ディスク１００の投影領域内で、該光ディスク１００の外周側の位置または該光ディスク１００の外周側に配された支点２５、２６（または支点線Ｐ−Ｐ'）寄りの位置に設けてあるため、平面寸法の増大を抑えた状態で、装置の一層の薄型化を図ることができる。また、クランパ部３の先端面を、トップカバー部材８の貫通孔８ｂから外側平面部８ａの高さ以上に突出させる構成は、トップカバー部材８の高さ位置を低くした状態においても、クランパ部３の先端面の所定の高さ位置を確保でき、装置の小型化特に一層の薄型化とともに、光ディスク１００に対する確実なチャッキング動作を可能にする。
【００２３】
なお、上記実施形態では、送りモータ６０は、ユニットメカデッキ部材１２の平面に対し、モータ回転軸及び外部平面が略平行となるようにされているが、本発明はこれに限定されず、この他、図６のように、ユニットメカデッキ部材１２の平面に対し、モータ回転軸及び外部平面が傾斜した状態となるようにしてもよい。
【００２４】
図６において、αは、送りモータ６０のモータ回転軸及び外部平面のユニットメカデッキ部材１２の平面に対する傾斜角、他の符号は、上記図５の場合と同様である。該構成においては、ユニットメカデッキ部材１２がディスクチャッキングのために回動変位（上昇変位）したとき、送りモータ６０の外形内で最も高位置となる点の高さ位置を引下げることができ、この点からも装置の小型化、特に一層の薄型化が可能となる。
なお、上記実施形態では、スロットインタイプの光ディスク装置の場合につき説明したが、本発明はこれに限定されない。
【図面の簡単な説明】
【００２５】
【図１】本発明の一実施形態としての光ディスク装置の構成例図である。
【図２】図１の光ディスク装置の内部構成の平面図である。
【図３】図１の光ディスク装置のユニットメカデッキ部材上の構成を示す平面図である。
【図４】図１の光ディスク装置のディスクチャッキング時の説明図である。
【図５】図１の光ディスク装置のディスクチャッキング時の送りモータの変位量の説明図である。
【図６】送りモータをユニットメカデッキ部材に対し傾斜させた場合の説明図である。
【符号の説明】
【００２６】
１…光ディスク装置、
２…ディスクモータ、
２ａ…ディスク平面支持部、
３…クランパ部、
４…光ピックアップ、
４ａ…対物レンズ、
４ｂ…ラック部、
５、６…内部カバー部材、
７…前面パネル、
８…トップカバー部材、
８ａ…外側平面部、
８ｂ…貫通孔、
８ｃ…凹部、
１０…ボトムカバー部材、
１１…ベース部材、
１２…ユニットメカデッキ部材、
２１…伝達機構、
２２…昇降機構、
２５、２６…支点、
３１、３２、３３…レバー、
３１ａ…支点部材、
４１、４２、４３…ローラ、
５０…スイッチ、
６０…送りモータ、
７１…リードスクリュー部材、
７２、７３…ガイド部材、
８０…モータ、
１００…光ディスク。
【図１】
2006236405.tif 000003
【図２】
2006236405.tif 000004
【図３】
2006236405.tif 000005
【図４】
2006236405.tif 000006
【図５】
2006236405.tif 000007
【図６】
2006236405.tif 000008